(57)【要約】【課題】  回転部材を収容するヘッドフレームに肌当て部材であるプレートを選択的に容易に着脱自在に取り付けることができる脱毛装置を提供する。【解決手段】  回転駆動される円筒状の回転シリンダー８に開閉駆動される脱毛用の爪（８６，８８）を複数設けて、該爪で挟持した毛を回転シリンダー８の回転で引き抜く脱毛装置において、回転シリンダー８の外部露出面を覆うアタッチメントからなる複数の開口部を有するプレートを前記回転シリンダーを収容するフレームに外側より着脱自在に設けた。【選択図】        図１
2005046330.tif 000002
【特許請求の範囲】
【請求項１】
回転駆動される円筒状の回転シリンダーに開閉駆動される脱毛用の爪を複数設けて、該爪で挟持した毛を回転シリンダーの回転で引き抜く脱毛装置において、回転シリンダーの外部露出面を覆うアタッチメントからなる複数の開口部を有するプレートを前記回転シリンダーを収容するフレームに外側より着脱自在に設けて成ることを特徴とする脱毛装置。
【請求項２】
プレートを回転シリンダーの回転軸方向にスライドして取り付けて成ることを特徴とする請求項１記載の脱毛装置。
【請求項３】
プレートを回転シリンダーに対してフロートするように設けて成ることを特徴とする請求項１又は２記載の脱毛装置。
【請求項４】
フレームの上記回転シリンダーの外部露出面を露出させる開口部の前記回転シリンダーの外部露出面の回転方向前方側／又は後方側の端部であるフレーム進行方向前方側端部にプレートを固定すると共に、フレームの開口部の前記回転シリンダーの外部露出面の回転方向後方側／又は前方側の端部であるフレーム進行方向後方側端部にプレートを弾性支持して成ることを特徴とする請求項１乃至３のいずれかに記載の脱毛装置。
【発明の詳細な説明】
【技術分野】
【０００１】
本発明は、美容などの目的のために体毛を除去するのに使用される脱毛装置に関するものである。
【背景技術】
【０００２】
従来から、回転駆動される部材に毛の挟持部材を設けて、挟持した毛を回転運動によって引き抜く脱毛装置が知られている（例えば特許文献１、特許文献２、特許文献３参照）。通常このような脱毛装置は、回転駆動される回転シリンダーを収容したヘッドフレームに毛の挟持部材（例えば爪）を備えた回転部材の外部露出面を露出させる上開口を形成し、この上開口から露出する回転部材の外部露出面を肌面に押し当てて脱毛する、または、対向する回転部材間にて毛を直接挟み込んで脱毛するものである。
【０００３】
このような脱毛装置においては、回転部材や毛の挟持部材が直接肌に接触すると肌を傷めてしまうおそれがあるために、毛の挟持部材を備えた回転部材に直接接触しないようにする肌当て部材を保護部材として配設するものである。
【０００４】
ところで、脱毛するにあたっては、毛を挟持する部分が肌面から離れると脱毛効率が悪くなると共に、毛先を引っ張ることとなって痛みも大きくなるものであるが、逆に毛を挟持する部分が肌面に接触したりすると、肌面を傷める惧れがある。そこで、脱毛効率の向上を優先する時には肌当て部材を取り外して肌面に回転部材を接近又は接触させ、肌の保護を優先する時には肌当て部材を取り付けて脱毛を行うのが好ましい。
【０００５】
しかし、上記特許文献１のものにおいては、回転部材間に毛を挟み込んで脱毛するものであって、肌当て部材は常に取り付けておくもので、選択的に肌当て部材を着脱するものではない。また、特許文献２のものにおいては、肌当て部材は回転シリンダーを収容したヘッドフレームに一体に設けてあるため、選択的に肌当て部材を着脱することはできない。また、特許文献３のものは、肌当て部材がその端部をヘッドフレームの内部に位置するように取り付けられるため、着脱が容易ではない。
【特許文献１】特開平２−２９２０８号公報
【特許文献２】特開平６−３８８３０号公報
【特許文献３】特開２００３−４７５２１号公報
【発明の開示】
【発明が解決しようとする課題】
【０００６】
本発明は上記の従来の問題点に鑑みて発明したものであって、その目的とするところは、回転部材を収容するヘッドフレームに肌当て部材であるプレートを選択的に容易に着脱自在に取り付けることができる脱毛装置を提供することを課題とするものである。
【課題を解決するための手段】
【０００７】
上記課題を解決するために請求項１に係る発明にあっては、回転駆動される円筒状の回転シリンダー８に開閉駆動される脱毛用の爪（８６，８８）を複数設けて、該爪で挟持した毛を回転シリンダー８の回転で引き抜く脱毛装置において、回転シリンダー８の外部露出面を覆うアタッチメントからなる複数の開口部９４ａを有するプレート９４を前記回転シリンダー８を収容するフレーム（７１）に外側より着脱自在に設けて成ることを特徴とするものである。このような構成とすることで、開口部９４ａを有するプレート９４を選択的に着脱自在にフレーム（７１）に取り付け可能となって、脱毛効率の向上を優先する時にはプレート９４を取り外して脱毛すると共に、肌の保護を優先する時にはプレート９４を取り付けて脱毛することが可能となる。
【０００８】
また、請求項２の発明は、請求項１の発明において、プレート９４を回転シリンダー８の回転軸８０方向にスライドして取り付けて成ることを特徴とするものである。このような構成とすることで、プレート９４を取り付ける際にプレート９４が回転シリンダー８を収容するヘッドフレーム７１にガイドされることとなって、取付の際の変形を防止することができて使い勝手が向上する。
【０００９】
また、請求項３の発明は、請求項１又は２の発明において、プレート９４を回転シリンダー８に対してフロートするように設けて成ることを特徴とするものである。このような構成とすることで、プレート９４を取り付けて脱毛する際に肌の凹凸部位でも肌当たりがよくなり、使い勝手が向上する。
【００１０】
また、請求項４の発明は、請求項１乃至３の発明において、フレーム（７１）の上記回転シリンダー８の外部露出面を露出させる開口部７１ａの前記回転シリンダー８の外部露出面の回転方向前方側／又は後方側の端部であるフレーム進行方向前方側端部にプレート９４を固定すると共に、フレーム（７１）の開口部７１ａの前記回転シリンダー８の外部露出面の回転方向後方側／又は前方側の端部であるフレーム進行方向後方側端部にプレート９４を弾性支持して成ることを特徴とするものである。このような構成とすることで、プレート９４の肌が押し当てられる側を取付ボス７０ｂ及びボス挿通穴９４ｂにて確実に固定するため、プレート９４の変形がなく肌当たりもよく使い勝手を向上させることが可能となる。
【発明の効果】
【００１１】
本発明にあっては、回転部材を収容するヘッドフレームに肌当て部材であるプレートを選択的に容易に着脱自在に取り付けることが可能となる。
【発明を実施するための最良の形態】
【００１２】
以下、本発明を添付図面に示す実施形態に基いて説明する。本実施形態の脱毛装置は、図３〜図８に示すように手で把持することができるサイズに形成しているとともに駆動源であるモータ１５を内蔵している本体ケーシングＣ上に、回転シリンダー８を備えた脱毛ヘッドＨを着脱自在に設けたもので、回転シリンダー８には開閉して毛を挟持する複数の爪（図９に示す可動爪８６、固定爪８８）で構成した脱毛手段を設けており、回転シリンダー８の軸回り回転に伴って脱毛手段が毛を挟持して引き抜くものとなっている。
【００１３】
前面にスイッチ２２が配されている本体ケーシングＣは図７に示すように前後に二つ割りした半割ケーシング１０，１０をビス（図示せず）により接合するとともにこの半割ケーシング１０，１０にカバー１２を被せて取り付けて外殻が構成してあり、その上端開口部はモータ１５等を保持して本体ケーシングＣ内に納められた後述するモータケース１３の上面部で閉じられており、本体ケーシングＣの下端には電源ジャック２１を備えている。なお、本体ケーシングＣに電源である電池を内蔵したものであってもよい。前方側の半割ケーシング１０にはスイッチ２２が突没自在に露出するように設けてあり、このスイッチ２２によってモータ１５がＯＮ・ＯＦＦされるように本体ケーシングＣ内に収容されるスイッチ２２機器が動作される。なお、図７中の符号２３はダイオード板を、２４はスイッチ板を、２５は温度ヒューズを、２６はスイッチ基台を、２７はスイッチ金具を、２８はクリックバネを示す。
【００１４】
上面部にフック連結部１４を備えている上記モータケース１３は、図７に示すように下方に開口する略コ字状をしたもので、内部のモータ内装部１３ａに下方からモータ１５が嵌め込まれている。このモータケース１３の左右側方にはリブ部１３ｂが設けてあり、半割ケーシング１０の両側端部内面の上下に突設した突起板１０ａの間に前記リブ部１３ｂを嵌め込んで本体ケーシングＣ内に収容される。モータケース１３の上面のフック連結部１４は、図７、図５に示すように、モータケース１３の上面部中央部に設けたトンネル用突部１４ａと、その左右両側部に配置される一対の操作釦枠１７，１７とからなるもので、トンネル通路を有しているトンネル用突部１４ａの上面部には上下に挿通する孔１４ｂを設けてある。
【００１５】
平面視略矩形をした各操作釦枠１７は、図７、図５等に示すように、その外側片部から外側方に向けて押操作部１７ａを突設し、内側片部の内面に支持フック１７ｂを突設し、内側片部の上方にストッパ用突部１７ｃを上方に向けて突出したもので、トンネル用突部１４ａのトンネル通路内にスライド自在にはめ込むとともにストッパ用突部１７ｃを孔１４ｂ内にスライド自在に係合させることで、トンネル用突部１４ａに装着される。ストッパ用突部１７ｃが孔１４ｂの縁に当たることで抜け止めされた一対の操作釦枠１７，１７間には、トンネル通路内において保持ばね１８を介装してあり、該保持ばね１８によって両操作釦枠１７，１７は外側に向けて弾性付勢される。そして両操作釦枠１７，１７の押操作部１７ａは本体ケーシングＣの側方（左右方向）に設けた孔１９を通じて本体ケーシングＣの外側方に突出する。
【００１６】
脱毛ヘッドＨは、脱毛手段となる回転シリンダー８を備えた脱毛ブロックＤと、前記脱毛ブロックＤの回転シリンダー８に上述した本体ケーシングＣのモータ１５の出力を伝達する駆動ブロックＫとからなるもので、以下に説明する。
【００１７】
駆動ブロックＫは、図８、図５等に示すように、駆動ケース３１及び連結ケース３６と、ピニオン継手４１、駆動ギア４６、偏芯カム７６とで主体が構成される。駆動ケース３１及び連結ケース３６は、脱毛ヘッドＨを本体ケーシングＣに取り付けた時に本体ケーシングＣの上端部の上方に開口する収容凹所２０（図７参照）内に収容されるもので、その平面視における外郭形状が本体ケーシングＣの外郭形状よりも若干小さな外郭形状となっている。これら駆動ケース３１及び連結ケース３６は、前記外郭形状をしたそれぞれの筒状側面部３２，３７内に内部空間を仕切る板部３３，３８をそれぞれ有するような形状をしたもので、下側に連結ケース３６、上側に駆動ケース３１を配置し、連結ケース３６のネジ挿通穴３８ａに下方より固着ネジ３８ｂを挿通して駆動ケース３１のネジ固着穴３２ａに螺着することで駆動ケース３１と連結ケース３６を固定する。固定した駆動ケース３１及び連結ケース３６内の空間にはピニオン継手４１、駆動ギア４６が収容される。
【００１８】
ピニオン継手４１は、図８、図５等に示すように、フランジ部４２を有すると共にフランジ部４２の上下にそれぞれ継手接続部４３と歯車部４４を形成したものである。継手接続部４３は、フランジ部４２の下側に突出した略円筒状のもので、その内部にモータ１５の出力軸に固定したピニオン１６が嵌り込む凹所４３ａが形成してあり、脱毛ヘッドＨを本体ケーシングＣに取り付けた時に前記ピニオン１６が凹所４３ａに嵌り込んで連結される。また、歯車部４４は、フランジ部４２の上側に突出する円柱又は円筒状のもので、外周面に後述する駆動ギア４６と噛み合う歯車４４ａが形成してある。駆動ギア４６は、下側に外周側面に前記ピニオン継手４１の歯車４４ａと噛み合う歯車４７ａを形成した歯車部４７と、上側に上端部にフェイスギア４８ａを設けたフェイスギア部４８とからなる。
【００１９】
ピニオン継手４１の駆動ケース３１及び連結ケース３６内への収納について説明する。連結ケース３６の板部３８には、ピニオン継手４１の歯車部４４の外径とほぼ同径または若干大径で且つフランジ部４２よりも小径の挿通穴３８ｃ（図８参照）を形成してあり、また駆動ケース３１の板部３３には、平面視において前記挿通穴３８ｃの中心に対応する部分に下方に開口する軸挿入穴３３ａ（図８参照）が形成してある。また、ピニオン継手４１の上側の歯車部４４には、その中心に上方に開口する軸挿入穴（特に図示せず）が形成してあり、図８、図４等に示すピニオン継手支持軸４０の下端部を前記ピニオン継手４１の特に図示しない軸挿入穴に挿入するとともにピニオン継手支持軸４０の上端部を前述した駆動ケース３１の軸挿入穴３３ａに挿入し、ピニオン継手４１のフランジ部４２を連結ケース３６の板部３８の前述した挿通穴３８ｃの周辺上面に載置させてピニオン継手４１の継手接続部４３を板部３８より下方に突出させる。
【００２０】
次に、駆動ギア４６の駆動ケース３１及び連結ケース３６内への収納について説明する。駆動ケース３１の板部３３には、駆動ギア４６のフェイスギア部４８の径よりも大径の挿通穴３３ｂを形成してあり、また連結ケース３６の板部３８には、前記挿通穴３８ｂの中心に対応する部分に上方に開口する軸挿入穴（特に図示せず）が形成してある。また、駆動ギア４６には平面視中心部に軸挿通穴（特に図示せず）が形成してあり、駆動ギア支持軸４９を前記駆動ギア４６の特に図示しない軸挿通穴に挿入するとともに駆動ギア支持軸４９の下端部を前述した連結ケース３６の特に図示しない軸挿入穴に挿入し、駆動ギア支持軸４９の上端部を後述する基台６１の下端部に設けた軸挿入穴に挿入し、駆動ギア４６のフェイスギア部４８を駆動ケース３１の板部３３から上方に臨ませた状態とする。このとき、駆動ギア４６の歯車部４７とピニオン継手４１の歯車部４４とが噛み合った状態となり、モータ１５の出力軸に固定したピニオン１６が回転するとこのピニオン１６と連結されたピニオン継手４１及び、ピニオン継手４１と噛み合った駆動ギア４６が回転するようになっている。
【００２１】
脱毛ブロックＤは、図８、図４〜図６等に示すように、回転シリンダー８及び該回転シリンダー８を保持するシリンダー取付基台５１，５６と、このシリンダー取付基台５１，５６を固定するための基台６１とで主体が構成される。基台６１は、平面視における外郭形状が上記本体ケーシングＣの外郭形状とほぼ同様で、この外郭形状をした筒状側面部６２内に内部空間を仕切る板部６３を有する形状となっており、下側には上述した駆動ブロックＫが連結される駆動ブロック連結部６４及び、駆動ブロックＫとの間に収容される偏芯カム７６の収容部６３ａが設けてあると共に、上側にシリンダー取付基台５１，５６が固定される。駆動ブロック連結部６４は、上述した駆動ブロックＫの駆動ケース３１の筒状側面部３２の内壁に隙間を介して挟まれるように基台６１の両側部から下方に向けてそれぞれ突起部６４ａを突設して形成したもので、この両突起部６４ａには二本のガイド棒６０を挿通して架設するための挿通穴６４ｂを二か所ずつ形成すると共に、駆動ケース３１の筒状側面部３２の前記挿通穴６４ｂに対応する部分にそれぞれ前記ガイド棒６０が挿通されるガイド棒挿通孔３４を形成し、二本のガイド棒６０を前記挿通穴６４ｂ，ガイド棒挿通孔３４にそれぞれ連通させることで駆動ケース３１及び基台６１を連結してある。これにより、基台６１の両突起部６４ａは駆動ケース３１の筒状側面部３２内に隙間を介して挟まれた状態となっているため、前記隙間の範囲内で基台６１が駆動ケース３１に対して往復動可能となる。また、このように連結される基台と駆動ケース３１との間には偏芯カム７６が収容されて、前述したように駆動ケース３１に対して基台６１を往復動させるのであるが、これについては後述する。
【００２２】
基台６１の上側に取り付けられるシリンダー取付基台５１，５６は、図８等に示すように、回転シリンダー８の回転軸８０を左右方向側部にて支持する支持側板５２，５７をそれぞれ有するもので、両シリンダー取付基台５１，５６はそれぞれ基台６１にネジからなる固着具（図示せず）にて固着される。この両シリンダー取付基台５１，５６の支持側板５２，５７の上半部の中央部には、回転シリンダー８の回転軸８０の端部が嵌入される凹部５７ａが設けてあり、回転シリンダー８の中心部を挿通した前記回転軸８０を前記両凹部５７ａで支持して回転シリンダー８を回転自在に設けるものである。また、両シリンダー取付基台５１，５６の下半部には、後述する連結ギア６６の回転軸６９の端部が嵌入される凹部５３ａ，５８がそれぞれ設けてあり、この例は一方のシリンダー取付基台５１においては支持側板５２の下端部から他方のシリンダー取付基台５６へ伸びる延設部５３に連結ギア用凹部５３ａを設けると共に、他方のシリンダー取付基台５６においては支持側板５７の下半部に連結ギア用凹部５８を設けてある。そして、連結ギア６６の中心部を挿通した連結ギア用の回転軸６９を両連結ギア用凹部５３ａ，５８で支持して連結ギア６６を回転自在に設けるものである。
【００２３】
連結ギア６６には、図８等に示すように大径の大歯車６７と小径の小歯車６８が形成してあり、連結ギア６６がシリンダー取付基台５１，５６及び基台６１に回転自在に設けられた時に、基台６１の板部６３に形成した挿通開口６５を介して連結ギア６６の大歯車６７の下端部の歯面が下方に露出して、上述した駆動ブロックＫの上方に臨む駆動ギア４６のフェイスギア部４８と噛み合うものである。またこの大歯車６７は、上方側にて回転シリンダー８の回転軸８０方向の側端部に形成した歯車部８ａと噛み合っており、モータ１５の回転によってピニオン１６、ピニオン継手４１、駆動ギア４６、連結ギア６６、回転シリンダー８の順に回転力が伝達されるものである。そして更に、この連結ギア６６から偏芯カム７６にも回転力が伝達される。
【００２４】
偏芯カム７６は、図８、図４〜図６等に示すように、基台６１と駆動ケース３１との間に収容されるもので、上面にフェイスギア７７を形成した略円盤状をしており、円盤本体の外郭円の中心から偏芯した位置に下方に向けてカム凸部７８を突設してある。この偏芯カム７６は、基台６１の下面に設けた収容部６３ａ（図８参照）内に嵌め込まれ、基台６１の板部６３に形成した挿通開口６５を介してフェイスギア７７を上方に臨ませると共に、挿通開口６５を介して上端部をシリンダー取付基台５１に嵌め込んだ回転軸７９によって回転自在に配設される。この偏芯カム７６のフェイスギア７７は連結ギア６６の小歯車６８に噛み合い、また、下方に突出するカム凸部７８は駆動ケース３１の板部３３の上面に設けた長孔（特に図示せず）内に挿入される。前記長孔は、巾（即ち左右方向長さ）がカム凸部７８の径とほぼ同じであると共に、その長手方向は上述したガイド棒６０の長手方向（即ち基台６１と駆動ケース３１の往復動方向であり、図８の左右方向）と直交する方向にカム凸部７８の径よりも長く形成してある。これにより、連結ギア６６が回転すると偏芯カム７６が回転され、偏芯カム７６は基台６１に対して位置を変えないで回転するとともに、偏芯カム７６の下側に設けたカム凸部７８が基台６１に対して偏芯回転することとなり、カム凸部７８が長孔に挿入された駆動ケース３１は、基台６１に対してガイド棒６０方向に往復動する。ここでは、駆動ケース３１（駆動ブロックＫ）は本体ケーシングＣに対して固定されるため、本体ケーシングＣに対して相対的に基台６１及び回転シリンダー８（脱毛ブロックＤ）が往復動することとなる。
【００２５】
また、偏芯カム７６の回転により周期的に往復動する脱毛ブロックＤを付勢している両側のばね３４，３４（図４、図５、図８等参照）は、往復運動の端点での慣性力を吸収するものであり、衝突を防いで衝突音等の騒音を小さくする。
【００２６】
また、脱毛ブロックＤには、基台６１より上側にシリンダー取付基台５１，５６及び回転シリンダー８を覆うヘッドフレーム７１が取り付けられるが、これについては後で詳述する。
【００２７】
このように、駆動ブロックＫに対して回転シリンダー８の軸方向に脱毛ブロックＤを往復移動自在に取り付けている脱毛ヘッドＨは、連結ケース３６の下面に設けたフック３９，３９を、前記実施例で示した本体ケーシングＣのフック連結部１４に連結することで本体ケーシングＣに取り付けられる（図５、図７、図８参照）。このように脱毛ヘッドＨを本体ケーシングＣに対して取り付けた状態ではピニオン１６がピニオン継手４１に噛み合う。脱毛ヘッドＨを取り外すに当たっては、上記と逆に押操作部１７ａを押すことで支持フック１７ｂをフック３９から外すことができるので、この状態で脱毛ヘッドＨを引き離せばよい。
【００２８】
次に、回転シリンダー８について説明する。回転シリンダー８は、図９に示すように、一対の略円筒部材８１，８２を回転軸８０方向に連結することで形成されたもので、その外周面には周方向に複数箇所（図示例では４５°の間隔を置いて８箇所）の凹部８３ａ，８３ｂを備えて、各凹部８３内に脱毛用主体ユニット８４が嵌め込まれている。
【００２９】
脱毛用主体ユニット８４は、図１０、図９に示すように、支点板８５と、複数（図示例では４枚）の可動爪８６と、支点止め部材８７と、固定爪８８とからなるもので、この固定爪８８は図１０に示すように二枚を一組として一体に形成したものとなっている。
【００３０】
支点板８５は支点止め部材８７の嵌め込み用の角孔８５ａと、可動爪８６嵌め込み用の角孔８５ｂとを備えており、支点止め部材８７の下面に設けた突起８７ａを固定爪８８に設けた孔８８ａを通じて、支点板８５の角孔８５ａに圧入固定することで、固定爪８８の固定も同時に行う。固定爪８８を二つ一組とすることで組立を簡単にしているものであり、特に回転シリンダー８の周方向に脱毛用主体ユニット８４を複数配置する場合、回転軸８０と直交する長さを小さくすることができるために、回転シリンダー８の外径も小さくすることができる。
【００３１】
また、支点止め部材８７の上面部８７ｂは半円形状になっていて皮膚保護の役割を果たしており、可動爪８６及び固定爪８８が直接肌に当たることによって起こる肌の削れ等を防止している。
【００３２】
可動爪８６は両端の突起８６ｂを支点止め部材８７の両端に設けたリブ８７ｃにフック係合することで固定爪８８の脇に組み付けられる。この時、二枚組が一体に形成された固定爪８８に対して、可動爪８６は一枚ずつ独立したものを用いるとともに、一体となっている二枚の固定爪８８に対しては、同じ側に可動爪８６が位置するように、二枚の可動爪８６は固定爪８８の孔８８ａ内に位置させる。
【００３３】
上記のように一つのユニットとして組み立てられた脱毛用主体ユニット８４は、回転シリンダー８の各凹部８３ａに挿入した軸８４（図９参照）を図１０に示す支点止め部材８７の孔８７ｄと各可動爪８６の孔８６ａとに挿通して、該軸８ｄの先端部を他端の回転シリンダー８の凹部８３ａに嵌め込むことで装着される。
【００３４】
ここで脱毛用主体ユニット８４の二組の固定爪８８は等間隔になっていて、毛を挟持する際に把持位置のバランスが良いため、脱毛効率を高くすることができ、さらに円周方向に設けた各爪列の把持位置が等間隔になっているので、狙った毛を抜きやすくなっている。
【００３５】
また、回転シリンダー８における一方の回転シリンダー８には、周方向に複数の凹部８３ｂを形成して、これらの凹部８３ｂに開閉レバー８９を周方向において複数挿入してある。
【００３６】
そして、各開閉レバー８９には、回転シリンダー８に脱毛用主体ユニット８４を装着した時、可動爪８６の突片８６ｂが係合することになる溝８９ｂを設けてある。このとき、回転シリンダー８側から挿入した開閉レバー８９は可動爪８６の突片８６ｂと係合する。このように、開閉レバー８９の移動で２対の脱毛用の可動爪８６を固定爪８８に対し同時に接近・離間させることができるため、簡単な部品構成で組立も容易なものとなる。
【００３７】
また、回転シリンダー８の軸８０方向の両端面と開閉レバー８９の押圧部８９ａとの間には、板ばねで形成した復帰ばね９０を配置してある（図９，図８参照）。復帰ばね９０は、回転シリンダー８の軸方向外側に向けて付勢している。
【００３８】
そして、開閉レバー８９を外側から押す力が作用しないとき、可動爪８６はその突片８６ｂが外側に押されることで支点板８５の角孔８５ｃの孔縁を支点として回動して支点止め部材８７に位置決めされた固定爪８８から離れ、また、開閉レバー８９の押圧部８９ａに外側から外力が加わると、可動爪８６はその突片８６ｂが内側に押されることで支点板８５の角孔８５ｃの孔縁を支点として回動して固定爪８８に押し当てられる。このように、回転シリンダー８の軸方向端面に板ばねからなる復帰ばね９０を配置して、全ての開閉レバー８９を復帰ばね９０で外側へ付勢しているために、組立易く且つ安価な回転シリンダー８を得ることができるものとなっている。
【００３９】
このように形成された回転シリンダー８は、回転シリンダー８に挿通した軸８０の両端がシリンダー取り付け基台５１，５６に設けている凹部で支持されることで、軸８０回り回転が自在な状態に保持されている。
【００４０】
以上のように構成された脱毛装置においては、脱毛ヘッドＨを本体ケーシングＣに取り付けた状態でモータ１５を駆動すれば、上述したように回転シリンダー８が回転する。回転シリンダー８が回転すると、シリンダー取付基台５１，５６にカム軸８ｃによりカム８ｂを回転自在に設けてあるため（図８参照）、カム８ｂの位置にきた開閉レバー８９はカム８ｂに押されて復帰ばね９０に抗して内側に押され、開閉レバー８９が可動爪８６の下部の突片８６ｂを内側に押す。下端部が内側に押されて回転する可動爪８６は、それぞれ固定爪８８に押し当たるものであり、可動爪８６と固定爪８８との間に導入された毛は挟持される。そして、この毛を挟持した状態で回転シリンダー８がさらに回転することで毛が引き抜かれる。また、回転シリンダー８の回転により次の開閉レバー８９がカム８ｂの所に至ってカム８ｂにより押圧され、上記と同様に毛を挟持して引き抜く。
【００４１】
加えるに、回転シリンダー８が回転して脱毛を行っている時、ギアから歯車にも回転が伝達されて偏芯カム７６が回転し、この回転で前述のように脱毛ブロックＤが駆動ブロックＫに対して回転シリンダー８の軸８０方向に周期的に往復移動する。この往復移動により、脱毛ブロックＤの回転シリンダー８に設けた固定爪８８と可動爪８６とによる毛の挟持位置が変化するために、肌の全面の毛を抜くことができるものである。
【００４２】
次に、脱毛ヘッドＨに設けるヘッドフレーム７１について説明する。ヘッドフレーム７１は、図１〜図３に示すように、下方に開口する大略箱状をすると共に、上端部に回転シリンダー８の上側を露出させるための上開口７１ａを有するもので、脱毛ブロックＤの基台６１に着脱自在に取り付けられる。なお、このヘッドフレーム７１の着脱については、図８、図５に示すように、係止部７２ａを有する釦部７２をその操作部７２ｂが基台６１の側部に形成した挿通口６１ａ（図８参照）から外部に突没自在に突出するように基台６１に対して抜け止された状態で設けられ、この釦部７２の係止部７２ａに係止される被係止部７１ｂをヘッドフレーム７１の下端部に形成してあり、これによりヘッドフレーム７１を着脱自在に取り付け可能となっている。なお、図４、図５、図８中の符号７３は釦部７２を戻すばねを示す。
【００４３】
ヘッドフレーム７１には、上記上開口７１ａの外面にプレート９４（図１参照）を設けるものである。プレート９４は、側面視（回転シリンダー８の軸方向視）が下向きに開口した略Ｕ字状をしたもので、曲がった上背部分に側方に複数の開口部９４ａが形成してあり、この開口部９４ａを介して肌面の毛が回転シリンダー８の外部露出面の爪（８６，８８）によって脱毛される。なお、この開口部９４ａは爪（８６，８８）が位置する部分に配置されている。このプレート９４は、プレート取付台９５によってヘッドフレーム７１に取り付けられる。
【００４４】
プレート取付台９５は、図１、図２に示すように、ヘッドフレーム７１の上開口７１ａの下側外面に取り付けられる板状のもので、左右に開口９５ａが形成されると共に、略中央の縦片の上下中央部から両方の開口９５ａ内に向けて弾性支持片９５ｂを突設すると共に、該弾性支持片９５ｂの先端にボス９５ｃを形成してある。このプレート取付台９５は、開口９５ａの両側方にそれぞれ取付用孔９５ｄが形成してあり、また、ヘッドフレーム７１の前記プレート取付台９５の取付用孔９５ｄに対応する部分には、先端が下側に突出する略Ｌ字状をしたリブ７０ａが設けてあり、ヘッドフレーム７１の取付用孔９５ｄを前記リブ７０ａに取り付けることでプレート取付台９５をヘッドフレーム７１に固定する。
【００４５】
このプレート取付台９５は、プレート９４に取り付いた状態でヘッドフレーム７１に固定することで、プレート９４の一端部がヘッドフレーム７１に固定される。プレート取付台９５のプレート９４への取り付けは、プレート９４のプレート取付台９５を取り付ける側の端部にプレート取付台９５のボス９５ｃに対応する位置にボス固定穴９４ｃを形成してあり、このボス固定穴９４ｃにプレート取付台９５のボス９５ｃを外側より挿入してボス９５ｃをかしめて取り付けるものである。
【００４６】
また、プレート９４のプレート取付台９５を取り付ける側と反対側の端部には、ボス挿通穴９４ｂを形成すると共に、ヘッドフレーム７１の前記ボス挿通穴９４ｂに対応する部分に取付ボス７０ｂを形成してあり、前記取付ボス７０ｂにプレート９４のボス挿通穴９４ｂを被嵌して固定するとともに、他端側のに取り付けたプレート取付台９５をヘッドフレーム７１のリブ７０ａに取り付けることで、プレート９４のヘッドフレーム７１への取り付けが行われる。
【００４７】
このように、開口部９４ａを有するプレート９４を選択的に着脱自在にヘッドフレーム７１に取り付けることで、脱毛効率の向上を優先する時にはプレート９４を取り外して脱毛すると共に、肌の保護を優先する時にはプレート９４を取り付けて脱毛することが可能となり、この際、プレート９４をヘッドフレーム７１の外側に取り付けるので容易に取り付けられる。また、プレート取付台９５の弾性支持片９５にプレート９４が取り付けられているため、プレート９４がヘッドフレーム７１及び回転シリンダー８に対してフロート自在となり、プレート９４を取り付けて脱毛する際に肌の凹凸部位でも肌当たりがよくなり、使い勝手が向上する。
【００４８】
次に、プレート取付台９５の他例について図１１に基づいて説明する。なお、本例は上例と大部分が同じであるため、同じ部分については同符号を付して説明を省略し、異なる部分についてのみ説明する。本例は、プレート取付台９５の取付用の係止孔９５ｅを下側に配置すると共に、取付用の係止孔９５ｅに挿入用孔９５ｄを連設したものである。
【００４９】
このプレート取付台９５をヘッドフレーム７１に取り付けるには、ヘッドフレーム７１のリブ７０ａに該リブ７０ａの縦片を容易に挿通する挿入用孔９５ｄに挿通し、ヘッドフレーム７１の縦片をプレート取付台９５の背方に位置した状態でプレート取付台９５を側方にスライドさせ、リブ７０ａの下横片を挿入用孔９５ｄから連通する係止孔９５ｅの部分に位置させるものである。係止孔９５ｅは、リブ７０ａの縦片よりも上下長さが短いためリブ７０ａが抜けない。
【００５０】
このように、プレート９４を回転シリンダー８の回転軸８０方向にスライドして取り付けるようにしたことで、プレート９４を取り付ける際にプレート９４がヘッドフレーム７１にガイドされることとなって、取付の際の変形を防止することができて使い勝手が向上する。
【００５１】
またこの時、脱毛装置にて脱毛する際には、図６の側断面図において脱毛装置の上端部にて肌面が静止しているとして該脱毛装置を右から左に動かすものであり、この方向をフレーム進行方向とすると、フレーム進行方向前方側端部にプレート９４を固定する取付ボス７０ｂを設けると共に、フレーム進行方向後方側端部にプレート９４をプレート取付台９５にて弾性支持したことでプレート９４の肌が押し当てられる側を取付ボス７０ｂ及びボス挿通穴９４ｂにて確実に固定するため、プレート９４の変形がなく肌当たりもよく使い勝手を向上させることが可能となる。
【図面の簡単な説明】
【００５２】
【図１】本発明の脱毛装置の一実施形態のヘッドフレーム、プレート、プレート取付台の分解斜視図である。
【図２】同上のヘッドフレームの組立側断面図である。
【図３】同上の脱毛装置の正面図である。
【図４】同上の正面断面図である。
【図５】同上において脱毛ヘッドを本体ケーシングから取り外した状態を示す正面断面図である。
【図６】同上の脱毛装置の側断面図である。
【図７】同上の本体ケーシングの分解斜視図である。
【図８】同上の脱毛ヘッドの分解斜視図である。
【図９】同上の回転シリンダーの正面断面図である。
【図１０】同上の可動爪、支点止め部材、固定爪、支点板の取り付けを説明する分解斜視図である。
【図１１】プレート及びプレート取付台の他例を説明する分解斜視図である。
【符号の説明】
【００５３】
７１    ヘッドフレーム
９４    プレート
９４ａ  開口部
【図１】
2005046330.tif 000003
【図２】
2005046330.tif 000004
【図３】
2005046330.tif 000005
【図４】
2005046330.tif 000006
【図５】
2005046330.tif 000007
【図６】
2005046330.tif 000008
【図７】
2005046330.tif 000009
【図８】
2005046330.tif 000010
【図９】
2005046330.tif 000011
【図１０】
2005046330.tif 000012
【図１１】
2005046330.tif 000013